(57)【要約】【課題】車両の給電口内部に設置される給電コネクタの接続口を開閉するコネクタリッドの開閉操作の手間を減らすことができ、且つコネクタリッドによって給電コネクタの接続口を確実に塞ぐことができる車両の給電口構造を提供する。【解決手段】充電プラグが接続される給電コネクタ７が内部に設けられる収容凹部５と、収容凹部５の開口を開閉可能に設けられる給電リッド６と、給電コネクタ７の接続口７ａを開閉可能に設けられ、付勢手段によって常時開方向に付勢されるコネクタリッド８と、給電リッド６とコネクタリッド８との間に配され、給電リッド６が閉じた状態で弾性変形されてコネクタリッド８を給電コネクタ６側に付勢する付勢部材２６と、を備える構成とする。【選択図】図２
2015193315.tif 000002
【特許請求の範囲】
【請求項１】
車外に向かって開口し、充電プラグが接続される給電コネクタが内部に設けられる収容凹部と、
前記収容凹部の開口を開閉可能に設けられる給電リッドと、
前記収容凹部内において、前記給電コネクタの接続口を開閉可能に設けられ、付勢手段によって常時開方向に付勢されるコネクタリッドと、
前記給電リッドと前記コネクタリッドとの間に配され、前記給電リッドが閉じた状態で弾性変形されて前記コネクタリッドを前記給電コネクタ側に付勢する付勢部材と、
を備え、
前記給電リッドが全開状態のとき、前記コネクタリッドが前記付勢手段によって全開状態に維持され、前記給電リッドが全開状態から閉じられた際には、前記コネクタリッドが前記付勢部材を介して前記給電リッドによって閉方向に押されて全閉状態とされる
ことを特徴とする車両の給電口構造。
【請求項２】
請求項１に記載の車両の給電口構造において、
前記給電リッドを閉じた状態に保持するロック機構と、
前記ロック機構による前記給電リッドの保持を解除した際に、前記給電リッドが所定開度である半開状態より開くことを規制する規制部と、を備え、
前記付勢部材は、前記給電リッドが前記半開状態に規制された状態で、前記コネクタリッドを全閉状態に維持する
ことを特徴とする車両の給電口構造。
【請求項３】
請求項２に記載の車両の給電口構造において、
前記規制部は、前記給電リッドを前記半開状態から所定以上の力で開方向へ引いた際に規制が解除されるよう構成されている
ことを特徴とする車両の給電口構造。
【請求項４】
請求項３に記載の車両の給電口構造において、
前記規制部は、車体側に設けられる突起部と、前記給電リッドに設けられて、前記給電リッドの開度が所定開度になった際に前記突起部に当接する当接部と、を有し、
前記突起部と前記当接部とは、前記給電リッドを半開状態から所定以上の力で開方向に引いた際に、前記当接部が前記突起部を乗り越えるように構成されている
ことを特徴とする車両の給電口構造。
【請求項５】
請求項１から４の何れか一項に記載の車両の給電口構造において、
前記付勢部材が、前記給電リッドの内面側に設けられていることを特徴とする車両の給電口構造。
【請求項６】
請求項５に記載の給電口構造において、
前記付勢部材は、前記給電リッドが全閉の状態で、前記コネクタリッドを付勢し、前記給電リッドが全開状態から閉じられる際に、前記コネクタリッドを閉方向に押す付勢部を備えており、
前記付勢部が前記コネクタリッド側を凸として山なりに湾曲する板金で形成されている
ことを特徴とする車両の給電口構造。
【発明の詳細な説明】
【技術分野】
【０００１】
本発明は、例えば、充電プラグを接続する給電コネクタ等が収容される車両の給電口の構造に関する。
【背景技術】
【０００２】
従来、例えば、電気自動車やプラグインハイブリッド車等の電動車両には、充放電可能な二次電池が搭載されている。電動車両には二次電池に繋がる給電コネクタが設けられており、給電スタンドの充電プラグ（充電ガン）をこの給電コネクタの接続口に接続することで、充電プラグから電力供給が開始され、電動車両に搭載された二次電池が充電されるようになっている。
【０００３】
このような電動車両の給電コネクタは、一般的に、車体に設けられる給電口の内部に収容されている。給電口は、車体の外側に開口する凹状に形成された収容凹部と収容凹部の開口を開閉可能に塞ぐ給電リッドと、を備えている。一般的に、給電リッドは、その一端縁が収容凹部の開口の周縁部にヒンジによって回動可能に支持されており、給電リッドを開くことで、収容凹部内の給電コネクタにアクセスできるように構成されている。
【０００４】
そして、給電コネクタには、漏電の発生等を防止するために、コネクタリッドが設けられている。このコネクタリッドで給電時以外は給電コネクタの接続口を塞ぐようにしている。例えば、コネクタ収容部（収容凹部）を開閉する収納蓋（給電リッド）の内側に、給電コネクタの接続口を塞ぐコネクタ蓋（コネクタリッド）を設け、さらに収容蓋とコネクタ蓋との間に突き当て部材を設けるようにしたものがある（特許文献１参照）。
【先行技術文献】
【特許文献】
【０００５】
【特許文献１】特開平６−３４９５４４号公報
【発明の概要】
【発明が解決しようとする課題】
【０００６】
特許文献１に記載の発明では、コネクタリッド（コネクタ蓋）をコイルバネにより閉じる方向に付勢している。そして、給電リッド（収容蓋）とコネクタリッドとの間に突き当て部材を設けることで、給電リッドを閉じたときに、コネクタリッドを突き当て部材を介して押さえ付けて密閉状態に保持するよう構成されている。したがって、給電リッドを閉じることで、コネクタリッドによって給電コネクタの接続口（接続開口）を確実に塞ぐことができる。
【０００７】
しかしながら、特許文献１に記載の構造では、給電時に給電リッドを開放した後、コネクタリッドを開放させる操作が必要となり、接続口（接続開口）の開放操作が煩雑となる。また、コネクタリッドは、コイルバネによって閉じる方向に付勢されているので、コネクタリッドを離すと、自動的に閉じる方向に回動されてしまう。そのため、給電コネクタに充電プラグ（充電ガン）を接続させる際に、コネクタリッドを片手で押さえて保持しておく必要があるなど、給電作業がしにくく手間が掛かる虞があった。
【０００８】
本発明は、このような事情に鑑みてなされたものであり、車両の給電口内部に設置される給電コネクタの接続口を開閉するコネクタリッドの開閉操作の手間を減らすことができ、且つコネクタリッドによって給電コネクタの接続口を確実に塞ぐことができる車両の給電口構造を提供することを目的とする。
【課題を解決するための手段】
【０００９】
上記課題を解決する本発明の第１の態様は、車外に向かって開口し、充電プラグが接続される給電コネクタが内部に設けられる収容凹部と、前記収容凹部の開口を開閉可能に設けられる給電リッドと、前記収容凹部内において、前記給電コネクタの接続口を開閉可能に設けられ、付勢手段によって常時開方向に付勢されるコネクタリッドと、前記給電リッドと前記コネクタリッドとの間に配され、前記給電リッドが閉じた状態で弾性変形されて前記コネクタリッドを前記給電コネクタ側に付勢する付勢部材と、を備え、前記給電リッドが全開状態のとき、前記コネクタリッドが前記付勢手段によって全開状態に維持され、前記給電リッドが全開状態から閉じられた際には、前記コネクタリッドが前記付勢部材を介して前記給電リッドによって閉方向に押されて全閉状態とされることを特徴とする車両の給電口構造にある。
かかる第１の態様では、給電口リッドを開くと、自動的にコネクタリッドが開状態に開かれ、給電コネクタの接続口が開放される。一方で、給電リッドを開いた状態から閉じると、給電リッドによってコネクタリッドが閉方向に押されて閉じられ、給電コネクタの接続口を塞ぐことができる。すなわち、給電リッドを開け閉めするだけの操作で、コネクタリッドを開閉することが可能となる。また、給電リッドを閉じた状態では、コネクタリッドが付勢部材によって給電コネクタ側に付勢されるので、コネクタリッドを全閉状態に保持するロック部材等がなくても給電コネクタの接続口をコネクタリッドによって確実に閉塞することができる。
【００１０】
本発明の第２の態様は、第１の態様の車両の給電口構造において、前記給電リッドを閉じた状態に保持するロック機構と、前記ロック機構による前記給電リッドの保持を解除した際に、前記給電リッドが所定開度である半開状態より開くことを規制する規制部と、を備え、前記付勢部材は、前記給電リッドが前記半開状態に規制された状態で、前記コネクタリッドを全閉状態に維持することを特徴とする車両の給電口構造にある。
かかる第２の態様では、ロック機構を解除した際に、規制部によって給電リッドが半開状態とされ、コネクタリッドは付勢部材によって全閉状態に維持される。すなわち、ロック機構を解除しただけでは、給電リッドの開度が規制され、コネクタリッドも開放されないので、給電口（収容凹部）および給電コネクタの接続口の無用な露出を防止することができる。特に給電コネクタの接続口は、コネクタリッドによって確実に閉塞されて保護されるので、誤操作等によってロック機構が解除されたとしても水や埃等が付着することを防止することができる。
【００１１】
本発明の第３の態様は、第２の態様の車両の給電口構造において、前記規制部は、前記給電リッドを前記半開状態から所定以上の力で開方向へ引いた際に規制が解除されるよう構成されていることを特徴とする車両の給電口構造にある。
かかる第３の態様では、給電リッドを比較的容易に半開状態から全開状態まで開放することができる。
【００１２】
本発明の第４の態様は、第３の態様の車両の給電口構造において、前記規制部は、車体側に設けられる突起部と、前記給電リッドに設けられて、前記給電リッドの開度が所定開度になった際に前記突起部に当接する当接部と、を有し、前記突起部と前記当接部とは、前記給電リッドを半開状態から所定以上の力で開方向に引いた際に、前記当接部が前記突起部を乗り越えるように構成されていることを特徴とする車両の給電口構造にある。
かかる第４の態様では、比較的簡易な構造で、給電リッドの開放を規制することができ、給電リッドを比較的容易に全開状態まで開放することができる。
【００１３】
本発明の第５の態様は、第１から４の何れか一つの態様の車両の給電口構造において、前記付勢部材が、前記給電リッドの内面側に設けられていることを特徴とする車両の給電口構造にある。
かかる第５の態様では、給電リッドを全開状態とすれば、付勢部材は収容凹部の外側に位置するため、付勢部材が給電作業の妨げになるのを抑制することができる。
【００１４】
本発明の第６の態様は、第５の態様の給電口構造において、前記付勢部材は、前記給電リッドが全閉の状態で、前記コネクタリッドを付勢し、前記給電リッドが全開状態から閉じられる際に、前記コネクタリッドを閉方向に押す付勢部を備えており、前記付勢部が前記コネクタリッド側を凸として山なりに湾曲する板金で形成されていることを特徴とする車両の給電口構造にある。
かかる第６の態様では、給電リッドを全開状態から閉じる際に、コネクタリッドを比較的スムーズに閉方向へ押すことができる。また、比較的簡易な構造で付勢部材を形成することができる。
【発明の効果】
【００１５】
かかる本発明の車両の給電口構造によれば、給電リッドを開け閉めするだけでコネクタリッドを開閉することができ、コネクタリッドの開閉操作の手間を減らすことができる。また給電リッドが閉じた状態では、付勢部材でコネクタリッドが給電コネクタ側に付勢されるので、給電コネクタの接続口をコネクタリッドによって確実に塞ぐことができる。
【図面の簡単な説明】
【００１６】
【図１】本発明の一実施形態に係る給電口構造を備えた車両の外観図である。
【図２】本発明の一実施形態に係る給電口構造の概略構成を示す斜視図である。
【図３】給電リッドが全開の状態を示す断面図である。
【図４】給電リッドが全閉の状態を示す断面図である。
【図５】給電リッドが半開の状態を示す断面図である。
【発明を実施するための形態】
【００１７】
以下、本発明の一実施形態について図面を参照して詳細に説明する。
図１に示すように、例えば、電気自動車やハイブリッド車両等の電動車両である車両１には、図示しない充電プラグ（充電ガン）を給電コネクタに接続して給電するための給電口２が設けられている。
【００１８】
給電口２は、例えば、図２及び図３に示すように、車体を構成するボデーアウターパネル（本実施形態ではリアサイドアウターパネル）３に設けられた開口４と、ボデーアウターパネル３の裏側に設けられ、開口４（車両外側）に向けて開放される凹部状に形成された収容凹部５と、収容凹部５（開口４）を開閉する給電リッド６とで画成されている。そして、この収容凹部５内に給電コネクタ７が設置されている。給電コネクタ７は、収容凹部５の底面５ａの略中央部で、その接続口７ａが開口４側を向くように配置されている。つまり、給電コネクタ７の接続口７ａが給電リッド６（の裏面）と対向するよう設けられている。そして、このように給電コネクタ７が設けられた給電口２（収容凹部５）は、給電リッド６によって開閉可能に構成されている。
【００１９】
なお、給電リッド６は、車体側ヒンジパネル１５を介して収容凹部５に取り付けられている。そして、給電リッド６は、車体側ヒンジパネル１５が保持する回動軸１６を中心として回動自在に設けられている。本実施形態では、回動軸１６が車両前方側に設けられ、給電リッド６は全閉状態（図４参照）から車両前方側に回動されることで開き、全開状態（図３参照）から車両後方側に回動されることで閉じられる。また、ここでいう「全開状態」とは、給電コネクタ７に充電プラグを接続可能な程度に開いた状態をいい、必ずしも給電リッド６が完全に開ききった状態に限定されるものではない。
【００２０】
給電コネクタ７には、接続口７ａに水や埃が付着しないように保護するコネクタリッド８が設けられている。コネクタリッド８は、収容凹部５（底面５ａ）の給電コネクタ７の接続口７ａの周囲に立設されたリブ１３に回動ピン１４によって回動可能に連結されている。すなわち、コネクタリッド８は、収容凹部５の内部で給電コネクタ７の接続口７ａを開閉可能に設けられている。またコネクタリッド８は、例えば、バネ部材等からなる付勢手段によってコネクタリッド８が開放される方向（開方向）に常時付勢されており、開き勝手に構成されている。例えば、本実施形態では、図示は省略するが回動ピン１４に付勢手段としてのコイルバネを装着し、このコイルバネの一端側をコネクタリッド８で係止し、他端側を給電コネクタ７で係止するとで、コネクタリッド８が開放される方向（開方向）に常時付勢されている。
【００２１】
したがって、コネクタリッド８は、給電リッド６を開くと、バネ部材等の付勢力により自動的に開かれ、給電リッド６が全開とされた状態で、コネクタリッド８も全開状態に維持される。なお、図３に示すように、コネクタリッド８の開閉方向（回動方向）は、給電リッド６と同一方向に設定されている。また付勢手段の構成は特に限定されず、例えば、板バネ等の他のバネ部材で構成されていてもよいし、勿論、コネクタリッド８を付勢することができればバネ部材以外で構成されていてもよい。
【００２２】
本実施形態に係る給電リッド６は、アウターパネル１７と、このアウターパネル１７の内側の面に固定されるインナーパネル１８と、を備えている。これらアウターパネル１７及びインナーパネル１８は、それぞれ板金で形成されている。アウターパネル１７は、給電リッド６を閉じた状態では、車体表面の一部を構成する。インナーパネル１８は、アウターパネル１７の周縁部に対応する位置に複数の固定部１９を備え、これら固定部１９によってアウターパネル１７に固定されている。なおインナーパネル１８の固定部１９を除く部分には、アウターパネル１７との間に所定の隙間が形成されている。
【００２３】
またインナーパネル１８は、アウターパネル１７の車両前方側の縁部に一対の蓋側ヒンジ部２０を備える。これら一対の蓋側ヒンジ部２０は、収容凹部５の車両前方側の面に設けられた車体側ヒンジパネル１５に回動可能に連結されている。具体的には、車体側ヒンジパネル１５に保持される回動軸１６に回動可能に支持されており、給電リッド６が回動軸１６を中心として回動自在となっている。なお、これら蓋側ヒンジ部２０は、回動軸１６の軸方向に所定間隔を開けて配されている。
【００２４】
さらにインナーパネル１８は、アウターパネル１７の車両後方側の縁部に、アウターパネル１７とは反対側に突出して設けられる係合部２１を備える。この係合部２１には、ロック機構２２を構成するロックピン２３が係合する係合孔２４が形成されている。
【００２５】
ここで、ロック機構２２は、ロックピン２３を係合孔２４に係合させることで、給電リッド６を閉じた状態に保持するためのものである。ロック機構２２は、ロックシリンダ２５と、ロックシリンダ２５から突出されるロックピン２３と、を備えており、ロックピン２３が収容凹部５の車両後方側の面から収容凹部５内に突出するように設けられている。ロックピン２３はロックシリンダ２５の駆動に伴って出没自在となっており、ロックピン２３が収容凹部５内で出没されることで係合部２１の係合孔２４に係脱するよう構成されている。図示は省略するが、ロックシリンダ２５は、例えば、車室内に設けられるロック解除レバーに接続されている。そして、給電リッド６がロックされた状態で、このロック解除レバーを操作することで、ロックシリンダ２５内にロックピン２３が引き込まれ、給電リッド６のロックが解除されるようになっている。
【００２６】
さらに、このようなインナーパネル１８の中央部には、給電リッド６を閉じた状態で、給電リッド６（インナーパネル１８）とコネクタリッド８との間で弾性変形されてコネクタリッド８を給電コネクタ７側に付勢する付勢部材であるポップアップクリップ２６が取り付けられている。なお、ポップアップクリップ２６は、ロック機構２２によるロックが解除されたときに、給電リッド６を開方向に付勢してポップアップさせる機能も有している。
【００２７】
ポップアップクリップ２６は、一枚の板金状のばね部材を曲げ加工することによって形成され、インナーパネル１８に固定されるクリップ部２７と、このクリップ部２７からアウターパネル１７とは反対側に突出して設けられ、弾性変形される付勢部２８と、を備える。クリップ部２７は、例えば、板金を略１８０度折り返すことによって形成され、インナーパネル１８を挟み込むことで、ポップアップクリップ２６をインナーパネル１８に固定する。付勢部２８は、このクリップ部２７の一端から連続して設けられて、アウターパネル１７とは反対側を凸とする山なりの曲面となるよう湾曲形成されている。この付勢部２８は、給電リッド６を閉じた状態で、コネクタリッド８に当接されて弾性変形することで、コネクタリッド８を付勢する。
【００２８】
また本実施形態では、ポップアップクリップ２６の付勢部２８がインナーパネル１８の蓋側ヒンジ部２０側から係合部２１側へ向かって山なりに延びるよう形成されており、給電リッド６を開いた状態から閉じる際に、例えば、全開状態のコネクタリッド８の先端部８ａに付勢部２８が当接してコネクタリッド８を閉じ方向へ押すように構成されている。なお、コネクタリッド８の先端部８ａは、回動ピン１４の反対側で突出され、付勢部２８と当接する面が曲面に形成されている。
【００２９】
また本実施形態では、クリップ部２７の付勢部２８とは反対側の他端は、インナーパネル１８の蓋側ヒンジ部２０の近傍まで延設されており、その先端部は、後述するカムクリップに当接する当接部２７ａとなっている。
【００３０】
なおポップアップクリップ２６は、給電リッド６を閉じた状態でコネクタリッド８を給電コネクタ７側に付勢できる構成であればよく、その構成は特に限定されない。したがって付勢部２８を、例えば、コイルバネ状に形成してもよい。またクリップ部２７の形状もポップアップクリップ２６をインナーパネル１８に固定できればよい。またポップアップクリップ２６は、インナーパネル１８と一体的に形成されていてもよい。
【００３１】
給電リッド６は、上述のように車体側ヒンジパネル１５を介して収容凹部５に取り付けられている。この車体側ヒンジパネル１５は、例えば、溶接等によって収容凹部５の車両前側の面に取り付けられる取付部２９と、この取付部２９から収容凹部５の内側に向かって延設される一対の車体側ヒンジ部３０と、を備える。各車体側ヒンジ部３０は、上述した蓋側ヒンジ部２０と同様に所定間隔を開けて配され、各蓋側ヒンジ部２０の内側で回動軸１６を支持している。
【００３２】
また車体側ヒンジパネル１５は、一対の車体側ヒンジ部３０の間に、車体側ヒンジ部３０とは独立する固定板３１が取付部２９から収容凹部５の内側に向かって延設されている。そして、この固定板３１には、上述したカムクリップ３２が固定されている。
【００３３】
本実施形態では、カムクリップ３２にはスリット部３３が形成されており、さらにスリット部３３の内側には突起部３４が形成されている。一方、固定板３１には貫通溝３５が形成されている。そしてこのスリット部３３に固定板３１を挿入し、突起部３４を貫通溝３５に係合させることで、カムクリップ３２が固定板３１に固定されている。
【００３４】
このカムクリップ３２は、ロック機構２２を解除した際、ポップアップクリップ２６（付勢部２８）の付勢力によりポップアップされた給電リッド６の開放を所定の開度（半開状態）に規制する規制部４０を構成している。カムクリップ３２は、樹脂材料等で形成され、ポップアップクリップ２６の当接部２７ａが当接することで、給電リッド６が所定開度より開放されることを規制する。すなわち本実施形態では、給電リッド６の開放を規制する規制部４０が、突起部としてのカムクリップ３２と、上述したポップアップクリップ２６の当接部２７ａと、で構成されている。
【００３５】
なお、規制部４０による規制は、給電リッド６を開方向へ所定以上の力で引くことで解除される構成となっている。具体的には、給電リッド６を所定以上の力で開方向に操作すると、当接部２７ａがカムクリップ３２の先端部３２ａを乗り越えて、当接部２７ａとカムクリップ３２の先端部３２ａとの当接が解除されるように構成されている。これにより、給電リッド６は、半開状態から所定以上の力で開方向へ操作してやると、簡単に全開状態まで開くことができる。
【００３６】
また、ポップアップクリップ２６の付勢部２８は、給電リッド６が半開状態に規制された状態では、コネクタリッド８を給電コネクタ７側に付勢する設定とされている。すなわち、少なくとも半開状態までは、給電コネクタ７の接続口７ａがコネクタリッド８で塞さがれるよう設定されている。
【００３７】
次に、このような給電口２の給電リッド６とコネクタリッド８の開閉動作と、その作用効果について説明する。
まず、給電リッド６およびコネクタリッド８を、例えば、全閉状態（図４参照）から全開（図３参照）させる場合について説明する。
【００３８】
図４に示すように、給電リッド６が全閉の状態では、ポップアップクリップ２６の付勢部２８がコネクタリッド８に当接している。このとき、付勢部２８は給電リッド６とコネクタリッド８との間に挟まれて弾性変形した（押し潰された）状態となっている。したがって、コネクタリッド８は付勢部２８によって給電コネクタ７に向かう所定圧力で付勢されている。つまり給電コネクタ７の接続口７ａは、コネクタリッド８によって確実に塞がれている。なお、給電リッド６が全閉の状態では、給電リッド６に取り付けられたポップアップクリップ２６の当接部２７ａは、カムクリップ３２とは接触していない。
【００３９】
この状態から、図５に示すように、給電リッド６の全閉状態を保持しているロック機構２２が解除されると、すなわちロックピン２３の係合孔２４との係合が解除されると、ポップアップクリップ２６の付勢部２８の変形が元に戻る。その際、付勢部２８の付勢力が給電リッド６を開放する方向の力として作用し、給電リッド６が規制部４０によって規制される所定開度まで開放される。具体的には、給電リッド６は、給電リッド６に取り付けられたポップアップクリップ２６の当接部２７ａがカムクリップ３２に当接する開度まで開放される。そして、給電リッド６は、ポップアップクリップ２６と規制部４０との作用によって所定開度まで開放された半開状態に保持される。
【００４０】
このとき、コネクタリッド８は全閉状態に維持されている。すなわちロック機構２２の解除に伴って、ポップアップクリップ２６の付勢部２８の変形が元に戻るが、給電リッド６が半開状態になっても、付勢部２８はコネクタリッド８に当接して給電コネクタ７側へ軽く押した状態に保持されている。したがって、コネクタリッド８は、開方向への回動が阻止され全閉状態に維持される。なお給電リッド６の半開状態の開度は、当接部２７ａ及びカムクリップ３２の位置等の設定を変更することによって適宜調整することができる。
【００４１】
その後、給電作業の実行者が半開状態の給電リッド６に対して開方向（車外方向）に所定以上の力を加えて給電リッド６を回動させると、ポップアップクリップ２６の当接部２７ａがカムクリップ３２の先端部３２ａを軽く押しながら先端部３２ａの表面上を摺動してカムクリップ３２を乗り越える。これにより、規制部４０による規制が解除され、給電リッド６を全開状態とすることができる（図３参照）。ここで、カムクリップ３２が樹脂材料等で形成され、さらにカムクリップ３２の先端部３２ａが曲面に形成されているので、当接部２７ａは比較的容易にカムクリップ３２を乗り越えることができる。したがって、半開状態から給電リッド６を開方向（車外側）に引くことで、比較的簡単に規制部４０の規制を解除して給電リッド６を全開状態とすることができる。
【００４２】
また給電リッド６が全開状態（図３参照）まで開かれると、コネクタリッド８は、付勢手段（図示無し）の付勢力によって全開位置（図３参照）まで開かれ、その状態に維持される。すなわち、給電リッド６を開くだけでコネクタリッド８も自動的に開かれ、全開状態とされる。したがって、給電作業の実行者は、コネクタリッド８を開く操作をしなくてよい。なお、給電リッド６の全開状態では、ポップアップクリップ２６は、収容凹部５の外側に位置するため、ポップアップクリップ２６が給電作業の邪魔になることはない。
【００４３】
続いて、給電リッド６およびコネクタリッド８を、例えば、全開状態（図３参照）から全閉状態（図４参照）とする場合について説明する。図３に示すように、給電リッド６が全開状態とされていると、コネクタリッド８は、付勢手段によって全開状態に維持されている。このときポップアップクリップ２６の付勢部２８とコネクタリッド８とは当接されていない。
【００４４】
給電リッド６を全開状態から閉方向に操作し、給電リッド６を回動させると、ポップアップクリップ２６の付勢部２８が全開状態のコネクタリッド８の先端部８ａに当接して、コネクタリッド８を閉方向へ押し、コネクタリッド８が給電リッド６とともに閉方向へ回動される。つまり、給電リッド６がポップアップクリップ２６（付勢部２８）を介してコネクタリッド８を閉方向に押すよう作用する。なお、このとき、付勢部２８とコネクタリッド８の先端部８ａは、互いに摺動しながら動くが、付勢部２８が山なりの曲面とされるとともに、コネクタリッド８の先端部８ａも曲面とされているので、コネクタリッド８に対する付勢部２８の動き（摺動）がスムーズとなり、引っ掛かりなく、付勢部２８を介してコネクタリッド８を閉方向へ押すことができる。
【００４５】
そして、給電リッド６が半開状態（図５参照）まで回動されると、コネクタリッド８が給電コネクタ７の接続口７ａを塞ぎ全閉状態とされる。その後、図４に示すように、給電リッド６を全閉状態まで回動すると、ロック機構２２のロックピン２３が係合部２１の係合孔２４と係合され、給電リッド６が全閉状態に保持される。給電リッド６の全閉状態では、ポップアップクリップ２６の付勢部２８が弾性変形されてコネクタリッド８を給電コネクタ７側へ付勢する。このように、給電リッド６を全開状態（図３参照）から全閉状態（図４参照）とする際にも、コネクタリッド８は自動的に閉じられるので、コネクタリッド８を閉じる操作をする必要は無い。
【００４６】
以上説明したように、本実施形態の給電口構造によれば、給電リッド６を開け閉めするだけの操作で、コネクタリッド８を開閉することが可能となる。また、給電リッド６を閉じた状態では、コネクタリッド８がポップアップクリップ２６によって給電コネクタ７側に付勢されるので、コネクタリッド８を全閉状態に保持するロック部材等がなくても給電コネクタ７の接続口７ａをコネクタリッド８によって確実に閉塞することができる。したがって、コネクタリッド８の開閉の手間がかからず給電作業が容易となる。
【００４７】
また、ロック機構２２を解除した際に、給電リッド６を半開状態に保持し、半開状態でもコネクタリッド８を全閉状態に保持することができる。すなわち、ロック機構２２のロックを解除しただけでは、コネクタリッド８が開放されることがない。ゆえに、例えば、誤ってロック解除レバーが操作され、ロック機構２２のロックが解除された場合でも、給電リッド６が半開状態で保持されて、給電コネクタ７をコネクタリッド８で確実に塞ぐことができるので、給電コネクタ７の接続口７ａが無用に露出されることがない。
【００４８】
以上、本発明の一実施形態について説明したが、本発明は、上述の実施形態に限定されるものではない。本発明はその趣旨を逸脱しない範囲で適宜変更が可能なものである。
【００４９】
例えば、上述の実施形態では、ポップアップクリップ（付勢部材）２６を給電リッド６側に設けるようにしたが、ポップアップクリップ（付勢部材）２６は、勿論、コネクタリッド８側に設けるようにしてもよい。また付勢部材として板金製のポップアップクリップを用いたが、付勢部材の構成は特に限定されず、例えば、ゴム等の弾性部材で構成されていてもよい。
【００５０】
また上述の実施形態では、本発明の車両の給電口構造を適用した車両の一例として、セダンタイプの車両を例示したが、本発明の車両の給電口構造は、車両のタイプに拘わらず適用することができるものであり、例えば、ミニバンタイプの車両にも適用するこができる。また給電口を設ける位置も、特に限定されるものではない。
【符号の説明】
【００５１】
１  車両
２  給電口
３  ボデーアウターパネル（リアサイドアウターパネル）
４  開口
５  収容凹部
６  給電リッド
７  給給電コネクタ
７ａ  接続口
８  コネクタリッド
８ａ  先端部
１３  リブ
１４  回動ピン
１５  車体側ヒンジパネル
１６  回動軸
１７  給電リッドのアウターパネル
１８  給電リッドのインナーパネル
１９  固定部
２０  蓋側ヒンジ部
２１  係合部
２２  ロック機構
２３  ロックピン
２４  係合孔
２５  ロックシリンダ
２６  ポップアップクリップ（付勢部材）
２７  クリップ部
２７ａ  当接部
２８  付勢部
２９  取付部
３０  車体側ヒンジ部
３１  固定板
３２  カムクリップ（突起部）
３２ａ  先端部
３３  スリット部
３４  突起部
３５  貫通溝
４０  規制部
【図１】
2015193315.tif 000003
【図２】
2015193315.tif 000004
【図３】
2015193315.tif 000005
【図４】
2015193315.tif 000006
【図５】
2015193315.tif 000007